(57)【特許請求の範囲】
【請求項１】
第１ＩＰｖ４網とＩＰｖ６網とを接続する第１ＩＰｖ４−ＩＰｖ６変換装置と、
前記ＩＰｖ６網と第２ＩＰｖ４網とを接続する第２ＩＰｖ４−ＩＰｖ６変換装置と、
前記第２ＩＰｖ４網上に存在するＩＰｖ４端末と
を含み、
前記第１ＩＰｖ４−ＩＰｖ６変換装置は、
前記第２ＩＰｖ４−ＩＰｖ６変換装置及び前記ＩＰｖ４端末にＩＰｖ６用コマンドを送信する手段と、
前記ＩＰｖ６用コマンドに対する応答を受信した際、前記第２ＩＰｖ４−ＩＰｖ６変換装置からの応答アドレスであるＩＰｖ６アドレスをそのまま表示する手段と、
前記ＩＰｖ４端末からの応答アドレスであるＩＰｖ６アドレスをＩＰｖ４アドレスに変換して表示し、ＩＰｖ４網とＩＰｖ６網との境界を明確化する手段と
を具備する
障害解析システム。
【請求項２】
請求項１に記載の障害解析システムであって、
前記第１ＩＰｖ４−ＩＰｖ６変換装置は、
前記ＩＰｖ６用コマンドを送信する際、宛先がドメイン名、ＩＰｖ４アドレス、及びＩＰｖ６アドレスのいずれで指定されたか判定する手段と、
宛先がドメイン名で指定されている場合、該ドメイン名に対する名前解決の要求を行う手段と、
前記名前解決の要求に対する応答としてＩＰｖ４アドレスとＩＰｖ６アドレスの両方が得られた場合、ＩＰｖ４アドレスとＩＰｖ６アドレスのどちらの宛先を優先するか決定する手段と、
宛先がＩＰｖ４アドレスで指定されている場合、変換用プレフィックスを基に、該ＩＰｖ４アドレスをＩＰｖ６アドレスへ変換し、変換後のＩＰｖ６アドレス宛にＩＰｖ６用コマンドを送信する手段と、
宛先がＩＰｖ６アドレスで指定されている場合、該ＩＰｖ６アドレス宛にＩＰｖ６用コマンドを送信する手段と
を更に具備する
障害解析システム。
【請求項３】
請求項１又は２に記載の障害解析システムであって、
前記第１ＩＰｖ４−ＩＰｖ６変換装置は、
前記ＩＰｖ６用コマンドに対する応答を受信した際、前記応答アドレスの先頭からプレフィックス長分のアドレスが変換用プレフィックスと一致するか判定する手段と、
前記応答アドレスの先頭からプレフィックス長分のアドレスが変換用プレフィックスと一致しない場合、ＩＰｖ６網からの応答と判断し、そのままＩＰｖ６アドレスで表示する手段と、
前記応答アドレスの先頭からプレフィックス長分のアドレスが変換用プレフィックスと一致した場合、ＩＰｖ４網からの応答と判断し、ＩＰｖ６アドレスをＩＰｖ４アドレスに変換して表示する手段と
を更に具備する
障害解析システム。
【請求項４】
ＩＰｖ６網とＩＰｖ４網とにＩＰｖ６用コマンドを送信するコマンド実行部と、
前記ＩＰｖ６用コマンドに対する応答を受信した際、該応答が前記ＩＰｖ４網からの応答か否かを判定する応答アドレス判定部と、
前記応答が前記ＩＰｖ４網からの応答である場合、前記応答に含まれるＩＰｖ６アドレスをＩＰｖ４アドレスに変換するアドレス変換部と、
前記変換後のＩＰｖ４アドレスを表示し、前記ＩＰｖ６網からの応答であるＩＰｖ６アドレスをそのまま表示し、ＩＰｖ４網とＩＰｖ６網との境界を明確化する結果表示部と
を具備する
ＩＰｖ４−ＩＰｖ６変換装置。
【請求項５】
請求項４に記載のＩＰｖ４−ＩＰｖ６変換装置であって、
前記ＩＰｖ６用コマンドを送信する際、宛先がドメイン名、ＩＰｖ４アドレス、及びＩＰｖ６アドレスのいずれで指定されたか判定する宛先判定部と、
宛先がドメイン名で指定されている場合、該ドメイン名に対する名前解決の要求を行うＦＱＤＮ解決部と、
前記名前解決の要求に対する応答としてＩＰｖ４アドレスとＩＰｖ６アドレスの両方が得られた場合、ＩＰｖ４アドレスとＩＰｖ６アドレスのどちらの宛先を優先するか決定する優先順位決定部と
を更に具備し、
前記アドレス変換部は、宛先がＩＰｖ４アドレスで指定されている場合、変換用プレフィックスを基に、該ＩＰｖ４アドレスをＩＰｖ６アドレスへ変換し、
前記コマンド実行部は、変換後のＩＰｖ６アドレス宛にＩＰｖ６用コマンドを送信し、宛先がＩＰｖ６アドレスで指定されている場合、該ＩＰｖ６アドレス宛にＩＰｖ６用コマンドを送信する
ＩＰｖ４−ＩＰｖ６変換装置。
【請求項６】
請求項４又は５に記載のＩＰｖ４−ＩＰｖ６変換装置であって、
前記応答アドレス判定部は、
前記ＩＰｖ６用コマンドに対する応答を受信した際、応答アドレスの先頭からプレフィックス長分のアドレスが変換用プレフィックスと一致するか判定する手段と、
前記応答アドレスの先頭からプレフィックス長分のアドレスが変換用プレフィックスと一致しない場合、ＩＰｖ６網からの応答と判断する手段と、
前記応答アドレスの先頭からプレフィックス長分のアドレスが変換用プレフィックスと一致した場合、ＩＰｖ４網からの応答と判断する手段と
を具備する
ＩＰｖ４−ＩＰｖ６変換装置。
【請求項７】
ＩＰｖ４−ＩＰｖ６変換装置により実施される障害解析方法であって、
ＩＰｖ６網とＩＰｖ４網とにＩＰｖ６用コマンドを送信することと、
前記ＩＰｖ６用コマンドに対する応答を受信した際、該応答が前記ＩＰｖ４網からの応答か否かを判定することと、
前記応答が前記ＩＰｖ４網からの応答である場合、前記応答に含まれるＩＰｖ６アドレスをＩＰｖ４アドレスに変換することと、
前記変換後のＩＰｖ４アドレスを表示し、前記ＩＰｖ６網からの応答であるＩＰｖ６アドレスをそのまま表示し、ＩＰｖ４網とＩＰｖ６網との境界を明確化することと
を含む
障害解析方法。
【請求項８】
ＩＰｖ６網とＩＰｖ４網とにＩＰｖ６用コマンドを送信するステップと、
前記ＩＰｖ６用コマンドに対する応答を受信した際、該応答が前記ＩＰｖ４網からの応答か否かを判定するステップと、
前記応答が前記ＩＰｖ４網からの応答である場合、前記応答に含まれるＩＰｖ６アドレスをＩＰｖ４アドレスに変換するステップと、
前記変換後のＩＰｖ４アドレスを表示し、前記ＩＰｖ６網からの応答であるＩＰｖ６アドレスをそのまま表示し、ＩＰｖ４網とＩＰｖ６網との境界を明確化するステップと
をＩＰｖ４−ＩＰｖ６変換装置に実行させるための
プログラム。
【請求項９】
請求項８に記載のプログラムであって、
前記ＩＰｖ６用コマンドを送信する際、宛先がドメイン名、ＩＰｖ４アドレス、及びＩＰｖ６アドレスのいずれで指定されたか判定するステップと、
宛先がドメイン名で指定されている場合、該ドメイン名に対する名前解決の要求を行うステップと、
前記名前解決の要求に対する応答としてＩＰｖ４アドレスとＩＰｖ６アドレスの両方が得られた場合、ＩＰｖ４アドレスとＩＰｖ６アドレスのどちらの宛先を優先するか決定するステップと
宛先がＩＰｖ４アドレスで指定されている場合、変換用プレフィックスを基に、該ＩＰｖ４アドレスをＩＰｖ６アドレスへ変換するステップと、
変換後のＩＰｖ６アドレス宛にＩＰｖ６用コマンドを送信するステップと、
宛先がＩＰｖ６アドレスで指定されている場合、該ＩＰｖ６アドレス宛にＩＰｖ６用コマンドを送信するステップと
を更にＩＰｖ４−ＩＰｖ６変換装置に実行させるための
プログラム。
【請求項１０】
請求項８又は９に記載のプログラムであって、
前記ＩＰｖ６用コマンドに対する応答を受信した際、応答アドレスの先頭からプレフィックス長分のアドレスが変換用プレフィックスと一致するか判定するステップと、
前記応答アドレスの先頭からプレフィックス長分のアドレスが変換用プレフィックスと一致しない場合、ＩＰｖ６網からの応答と判断し、そのままＩＰｖ６アドレスで表示するステップと、
前記応答アドレスの先頭からプレフィックス長分のアドレスが変換用プレフィックスと一致した場合、ＩＰｖ４網からの応答と判断し、ＩＰｖ６アドレスをＩＰｖ４アドレスに変換して表示するステップと
を更にＩＰｖ４−ＩＰｖ６変換装置に実行させるための
プログラム。
【発明の詳細な説明】
【技術分野】
【０００１】
本発明は、障害解析システムに関し、特にＩＰｖ４−ＩＰｖ６混在環境での障害解析システムに関する。
【背景技術】
【０００２】
ＩＰｖ４（Ｉｎｔｅｒｎｅｔ  Ｐｒｏｔｏｃｏｌ  Ｖｅｒｓｉｏｎ  ４）アドレス（以下、ＩＰｖ４）は、現在のインターネットで利用されているＩＰアドレスであり、アドレス資源を３２ビットで管理している。しかし、近年のインターネットの急速な普及により、アドレス資源の枯渇が懸念されている。
【０００３】
そこで、アドレス資源の枯渇が心配される現行のＩＰｖ４をベースに、次世代のＩＰアドレスとして、アドレス資源を１２８ビットで管理するＩＰｖ６（Ｉｎｔｅｒｎｅｔ  Ｐｒｏｔｏｃｏｌ  Ｖｅｒｓｉｏｎ  ６）アドレス（以下、ＩＰｖ６）が開発された。
【０００４】
ＩＰｖ４資源枯渇問題によりＩＰｖ６の利用が増加していくことが予想されるが、現存のＩＰｖ４の利用も、即座には終了せず、今後しばらくは利用が続くものと考えられる。
【０００５】
そのため、今後はＩＰｖ４、ＩＰｖ６混在のネットワーク環境の利用が予想される。
【０００６】
ＩＰｖ４、ＩＰｖ６混在のネットワーク環境において、ネットワーク環境の障害解析を行う場合、ＩＰｖ４網とＩＰｖ６網の両方の調査を行う必要があるが、ＩＰｖ４端末は、ＩＰｖ４アドレスしか持ち合わせていないため、ＩＰｖ６網上のＩＰｖ６ネイティブな端末（ＩＰｖ６固有の端末）からのリプライ（応答）を得ることができない。したがって、ＩＰｖ４アドレスとＩＰｖ６アドレスの両方を持ち合わせているＩＰｖ４−ＩＰｖ６変換装置が、トレースルート（「ｔｒａｃｅｒｏｕｔｅ」或いは「ｔｒａｃｅｒｔ」）コマンドを実行するのが好適であると考えられる。
【０００７】
しかし、このＩＰｖ４−ＩＰｖ６変換装置から、ＷＡＮ（Ｗｉｄｅ  Ａｒｅａ  Ｎｅｔｗｏｒｋ：広域通信網）側ＩＰｖ６網を経由してＷＡＮ側ＩＰｖ４端末へトレースルートコマンドを実行した場合、表示上はＩＰｖ６アドレスのみの表示となる。すなわち、実際はＩＰｖ４アドレスであっても、ＩＰｖ６アドレスで表示される。
【０００８】
このように、コマンド実行時の表示においてはＩＰｖ４網とＩＰｖ６網の境界が明確化されていないため、障害発生時の原因調査が困難であるという問題がある。
【０００９】
すなわち、ＩＰｖ４−ＩＰｖ６変換装置が、ＩＰｖ４網からＩＰｖ６網を介してＩＰｖ４端末へのトレースルートコマンドを実行する場合、従来の方式では以下のような課題が存在する。
【００１０】
従来のトレースルートコマンドを使用した場合、実行結果の表示上はＩＰｖ６アドレスのみとなるため、ネットワーク上のＩＰｖ６網とＩＰｖ４網の境界が表示上からは明確化されていない。
【００１１】
トレースルートコマンド実行時のＷＡＮ側ＩＰｖ４網からの応答は、ＩＰｖ４−ＩＰｖ６変換装置内に設定された変換用プレフィックスを用いてＩＰｖ４アドレスからＩＰｖ６アドレスへ変換されたアドレスが使用されるが、表示上でもこのＩＰｖ６アドレスが用いられているため、ＩＰｖ６アドレスのみの結果表示となる。
【００１２】
そのため、障害発生時に、ＩＰｖ６網、ＩＰｖ４網のどちらで障害が起きたのかを判定して障害箇所を特定するのが困難だという問題が発生する。
【００１３】
関連する技術として、特許文献１（特開２００９−２０６５６２号公報）に、ＩＰｖ４−ＩＰｖ６トランスレータ装置及びダミーアドレス返答方法が開示されている。この関連技術では、ＩＰｖ６アドレスのみを付与されたユーザ端末から、あるＦＱＤＮ（Ｆｕｌｌｙ  Ｑｕａｌｉｆｉｅｄ  Ｄｏｍａｉｎ  Ｎａｍｅ：完全修飾ドメイン名）に対するＩＰｖ６アドレス解決の問い合わせを受けＤＮＳサーバに当該ＦＱＤＮのＩＰｖ４アドレスとＩＰｖ６アドレスの名前解決問い合わせを行う。また、名前解決の結果ＩＰｖ６アドレスとＩＰｖ４アドレスが取得できた場合に、取得したＩＰｖ６アドレスと併せて、予め設定されたダミープレフィックスに当該ＩＰｖ４アドレスを埋め込んだダミーＩＰｖ６アドレスを返答する。また、ダミーＩＰｖ６アドレスに対してユーザ端末が通信を開始した際に、ダミーＩＰｖ６アドレスをＩＰｖ４アドレスに変換し、ユーザ端末と通信相手との間の通信を中継する。このとき、ダミーＩＰｖ６プレフィックスとしてユニークローカルＩＰｖ６ユニキャストアドレス、或いは、グローバルＩＰｖ６アドレスを用いる。
【先行技術文献】
【特許文献】
【００１４】
【特許文献１】特開２００９−２０６５６２号公報
【発明の概要】
【発明が解決しようとする課題】
【００１５】
本発明の目的は、トレースルート等のコマンド実行時、宛先ＩＰｖ４端末があるＷＡＮ側ＩＰｖ４網からの応答のＩＰｖ６アドレスを再変換したＩＰｖ４アドレスをトレースルート等のコマンドの結果として表示する障害解析システムを提供することである。
【課題を解決するための手段】
【００１６】
本発明に係る障害解析システムは、第１ＩＰｖ４網とＩＰｖ６網とを接続する第１ＩＰｖ４−ＩＰｖ６変換装置と、該ＩＰｖ６網と第２ＩＰｖ４網とを接続する第２ＩＰｖ４−ＩＰｖ６変換装置と、該第２ＩＰｖ４網上に存在するＩＰｖ４端末とを含む。該第１ＩＰｖ４−ＩＰｖ６変換装置は、該第２ＩＰｖ４−ＩＰｖ６変換装置及び該ＩＰｖ４端末にＩＰｖ６用コマンドを送信する手段と、該ＩＰｖ６用コマンドに対する応答を受信した際、該第２ＩＰｖ４−ＩＰｖ６変換装置からの応答アドレスであるＩＰｖ６アドレスをそのまま表示する手段と、該ＩＰｖ４端末からの応答アドレスであるＩＰｖ６アドレスをＩＰｖ４アドレスに変換して表示し、ＩＰｖ４網とＩＰｖ６網との境界を明確化する手段とを具備する。
【００１７】
本発明に係るＩＰｖ４−ＩＰｖ６変換装置は、ＩＰｖ６網とＩＰｖ４網とにＩＰｖ６用コマンドを送信するコマンド実行部と、該ＩＰｖ６用コマンドに対する応答を受信した際、該応答が該ＩＰｖ４網からの応答か否かを判定する応答アドレス判定部と、該ＩＰｖ４網からの応答である場合、ＩＰｖ６アドレスをＩＰｖ４アドレスに変換するアドレス変換部と、該変換後のＩＰｖ４アドレスを表示し、該ＩＰｖ６網からの応答であるＩＰｖ６アドレスをそのまま表示し、ＩＰｖ４網とＩＰｖ６網との境界を明確化する結果表示部とを具備する。
【００１８】
本発明に係る障害解析方法は、ＩＰｖ４−ＩＰｖ６変換装置により実施される障害解析方法であって、ＩＰｖ６網とＩＰｖ４網とにＩＰｖ６用コマンドを送信することと、該ＩＰｖ６用コマンドに対する応答を受信した際、該応答が該ＩＰｖ４網からの応答か否かを判定することと、該ＩＰｖ４網からの応答である場合、ＩＰｖ６アドレスをＩＰｖ４アドレスに変換することと、該変換後のＩＰｖ４アドレスを表示し、該ＩＰｖ６網からの応答であるＩＰｖ６アドレスをそのまま表示し、ＩＰｖ４網とＩＰｖ６網との境界を明確化することとを含む。
【００１９】
本発明に係るプログラムは、上記の障害解析方法における処理を、ＩＰｖ４−ＩＰｖ６変換装置に実行させるためのプログラムである。なお、本発明に係るプログラムは、記憶装置や記憶媒体に格納することが可能である。
【発明の効果】
【００２０】
ＩＰｖ４−ＩＰｖ６アドレス変換装置を用いた通信において、ＩＰｖ４−ＩＰｖ６アドレス変換装置からＩＰｖ６網を介してＩＰｖ４端末へトレースルートコマンド等を実行した際、表示上でＩＰｖ４網とＩＰｖ６網の境界を明確化し、ＩＰｖ４、ＩＰｖ６混在環境における障害解析を容易にする。
【図面の簡単な説明】
【００２１】
【図１】本発明に係る障害解析システムの構成例を示す図である。
【図２】本発明におけるＩＰｖ４−ＩＰｖ６変換装置の構成例を示す図である。
【図３】本発明に係る障害解析システムの動作を示すフローチャートである。
【図４】従来のＩＰｖ６トレースルートコマンドの実行例を示す図である。
【図５】本発明によるＩＰｖ６トレースルートコマンドの実行例を示す図である。
【図６】従来のＰＩＮＧ６トレースルートコマンドの実行例を示す図である。
【図７】本発明によるＰＩＮＧ６コマンドの実行例を示す図である。
【発明を実施するための形態】
【００２２】
＜実施形態＞
以下に、本発明の実施形態について添付図面を参照して説明する。
【００２３】
図１に、本発明に係る障害解析システムの構成例を示す。
本発明に係る障害解析システムは、ＩＰｖ４端末１０（１０−ｉ、ｉ＝１〜ｎ）と、ＩＰｖ４−ＩＰｖ６変換装置２０（２０−ｊ、ｊ＝１〜ｍ）を含む。
【００２４】
ここでは、ＩＰｖ４端末１０−１、ＩＰｖ４端末１０−２、ＩＰｖ４−ＩＰｖ６変換装置２０−１、及びＩＰｖ４−ＩＰｖ６変換装置２０−２を用いて説明する。
【００２５】
図１では、ＩＰｖ４端末１０−１は、ＬＡＮ（Ｌｏｃａｌ  Ａｒｅａ  Ｎｅｔｗｏｒｋ：構内通信網）側ＩＰｖ４網１００に設置されている。
【００２６】
また、ＩＰｖ４−ＩＰｖ６変換装置２０−１は、ＬＡＮ側ＩＰｖ４網１００とＷＡＮ側ＩＰｖ６網１５０の間に設置されている。ここでは、ＩＰｖ４−ＩＰｖ６変換装置２０−１は、ＬＡＮ側ＩＰｖ４網１００とＷＡＮ側ＩＰｖ６網１５０とを接続する。
【００２７】
また、ＩＰｖ４−ＩＰｖ６変換装置２０−２は、ＷＡＮ側ＩＰｖ６網１５０とＷＡＮ側ＩＰｖ４網２００の間に設置されている。ここでは、ＩＰｖ４−ＩＰｖ６変換装置２０−２は、ＷＡＮ側ＩＰｖ６網１５０とＷＡＮ側ＩＰｖ４網２００とを接続する。
【００２８】
また、ＩＰｖ４端末１０−２は、ＷＡＮ側ＩＰｖ４網２００に設置されている。すなわち、ＩＰｖ４端末１０−２は、ＷＡＮ側ＩＰｖ４網２００上に存在する。
【００２９】
本発明では、図１のＩＰｖ４−ＩＰｖ６変換装置２０−１からＷＡＮ側ＩＰｖ６網１５０を介して、ＩＰｖ４端末１０−２へＩＰｖ６用コマンド（ＩＰｖ６トレースルートコマンド、ＰＩＮＧ６コマンド等）を実行した際の表示結果を対象としている。
【００３０】
ＩＰｖ６トレースルートコマンドは、宛先にＩＰｖ６アドレスを指定したトレースルートコマンドである。ＩＰｖ６トレースルートコマンドは、ＩＰｖ６網上の経路、もしくはＩＰｖ６網を経由した先のＩＰｖ４網上の経路を確認する際に使用することができる。
【００３１】
ＰＩＮＧ６コマンドは、宛先にＩＰｖ６アドレスを指定したＰＩＮＧコマンドである。ＰＩＮＧ６コマンドは、ＩＰｖ６網上に存在する宛先、もしくはＩＰｖ６網を経由した先のＩＰｖ４網上に存在する宛先に対する疎通確認をする際に使用することができる。
【００３２】
なお、ここでは、ＩＰｖ６用コマンドとして、ＩＰｖ６トレースルートコマンド又はＰＩＮＧ６コマンドを例に説明するが、実際にはこれらの例に限定されない。
【００３３】
従来、このような構成のシステムにおいては、トレースルートコマンド実行時、宛先となるＩＰｖ４端末１０−２があるＷＡＮ側ＩＰｖ４網２００からの応答は、ＩＰｖ４−ＩＰｖ６変換装置２０−２により変換用プレフィックスが付与されたＩＰｖ６アドレスに変換される。
そのため、実際はＩＰｖ４アドレスであっても、ＩＰｖ６アドレスで表示されるため、表示上はＩＰｖ６アドレスのみの表示となり、ＩＰｖ４網とＩＰｖ６網の境界が不明確となり、Ｐｖ６網、ＩＰｖ４網のどちらで障害が起きたのかを判定して障害箇所を特定するのが困難である。
【００３４】
本発明では、上記の変換用プレフィックスを基に、ＩＰｖ４−ＩＰｖ６変換装置２０−１が、変換されたＩＰｖ６アドレスをＩＰｖ４アドレスに再変換し、このＩＰｖ４アドレスをトレースルートコマンドの結果として表示する。
【００３５】
［ＩＰｖ４−ＩＰｖ６変換装置の構成］
図２に、本発明におけるＩＰｖ４−ＩＰｖ６変換装置２０（２０−ｊ、ｊ＝１〜ｍ）の構成例を示す。
【００３６】
ＩＰｖ４−ＩＰｖ６変換装置２０（２０−ｊ、ｊ＝１〜ｍ）の各々は、宛先指定部２１と、宛先判定部２２と、ＦＱＤＮ（Ｆｕｌｌｙ  Ｑｕａｌｉｆｉｅｄ  Ｄｏｍａｉｎ  Ｎａｍｅ：完全修飾ドメイン名）解決部２３と、優先順位決定部２４と、アドレス変換部２５と、コマンド実行部２６と、応答アドレス判定部２７と、結果表示部２８を備える。
【００３７】
宛先指定部２１は、コマンドの宛先の指定を行う。例えば、宛先指定部２１は、予め設定されたアドレス範囲で、先頭から１件ずつ順番にＩＰアドレスを宛先として指定しても良い。なお、宛先指定部２１は、宛先の指定を、同一ネットワーク内のＩＰｖ４端末１０から受け取っても良い。
【００３８】
宛先判定部２２は、指定された宛先の判定を行う。ここでは、宛先判定部２２は、指定された宛先が、ＩＰｖ４アドレス、ＩＰｖ６アドレス、ドメイン名のいずれであるか判定を行う。
【００３９】
ＦＱＤＮ解決部２３は、宛先の名前解決を行う。ここでは、ＦＱＤＮ解決部２３は、宛先がドメイン名である場合、ドメイン名をＦＱＤＮで表記し、ＤＮＳ（Ｄｏｍａｉｎ  Ｎａｍｅ  Ｓｙｓｔｅｍ）サーバ等に問い合わせ、ＦＱＤＮに対応するＩＰアドレスを取得する。
【００４０】
なお、ＦＱＤＮ解決部２３は、名前解決の結果、ＩＰｖ４アドレスとＩＰｖ６アドレスの両方のＩＰアドレスが得られた場合、どちらを優先するか優先順位決定部２４に優先順位を問い合わせる。このとき、ＦＱＤＮ解決部２３は、ＩＰｖ４アドレス、ＩＰｖ６アドレスのいずれか一方のＩＰアドレスしか得られなかった場合、優先順位に関わらず、得られたアドレスを採用することになるため、優先順位決定部２４に優先順位を問い合わせなくても良い。
【００４１】
優先順位決定部２４は、ＩＰｖ４アドレスとＩＰｖ６アドレスのどちらの宛先を優先するか優先順位を決定し、優先順位の高い方を宛先として採用する。
【００４２】
アドレス変換部２５は、ＩＰｖ４アドレスとＩＰｖ６アドレスとを互いに変換する。
【００４３】
アドレス変換部２５は、ＩＰｖ４→ＩＰｖ６変換部２５１と、ＩＰｖ６→ＩＰｖ４変換部２５２を備える。
【００４４】
ＩＰｖ４→ＩＰｖ６変換部２５１は、ＩＰｖ４アドレスをＩＰｖ６アドレスへ変換する処理を行う。
【００４５】
ＩＰｖ６→ＩＰｖ４変換部２５２は、ＩＰｖ６アドレスをＩＰｖ４アドレスへ変換する処理を行う。
【００４６】
コマンド実行部２６は、ＩＰｖ６用コマンドを実行し、指定した宛先へのパケット送信を行う。
【００４７】
コマンド実行部２６は、ＩＰｖ６トレースルートコマンド実行部２６１と、ＰＩＮＧ６コマンド実行部２６２を備える。
【００４８】
ＩＰｖ６トレースルートコマンド実行部２６１は、ＩＰｖ６トレースルートコマンドを実行し、ＩＰｖ６網でのトレースルートを行う。
【００４９】
ＰＩＮＧ６コマンド実行部２６２は、ＰＩＮＧ６コマンドを実行し、ＩＰｖ６網での宛先とのネットワーク疎通を確認する。
【００５０】
応答アドレス判定部２７は、応答パケットの受信を行い、受信したパケットがＩＰｖ６網からの応答かＩＰｖ４網からの応答かの判定を行う。
【００５１】
結果表示部２８は、実行したコマンドの結果表示を行う。なお、結果表示部２８は、実行したコマンドの結果を、ＩＰｖ４端末１０（１０−ｉ、ｉ＝１〜ｎ）を通知し、ＩＰｖ４端末１０（１０−ｉ、ｉ＝１〜ｎ）側に表示するようにしても良い。
【００５２】
［ハードウェアの例示］
ＩＰｖ４端末１０（１０−ｉ、ｉ＝１〜ｎ）の例として、ＰＣ（パソコン）、アプライアンス（ａｐｐｌｉａｎｃｅ）、ワークステーション、メインフレーム、スーパーコンピュータ等の計算機を想定している。その他の例として、携帯電話機、スマートフォン、スマートブック、カーナビ（カーナビゲーションシステム）、携帯型ゲーム機、家庭用ゲーム機、携帯型音楽プレーヤー、ハンディターミナル、ガジェット（電子機器）、双方向テレビ、デジタルチューナー、デジタルレコーダー、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器等も考えられる。なお、ＩＰｖ４端末１０（１０−ｉ、ｉ＝１〜ｎ）は、物理マシン上に構築された仮想マシン（ＶＭ：Ｖｉｒｔｕａｌ  Ｍａｃｈｉｎｅ）でも良い。また、ＩＰｖ４端末１０（１０−ｉ、ｉ＝１〜ｎ）は、車両や船舶、航空機等の移動体に搭載されていても良い。
【００５３】
ＩＰｖ４−ＩＰｖ６変換装置２０（２０−ｊ、ｊ＝１〜ｍ）の例として、中継装置や中間装置を想定している。中継装置や中間装置の例として、ネットワークスイッチ（ｎｅｔｗｏｒｋ  ｓｗｉｔｃｈ）、ルータ（ｒｏｕｔｅｒ）、プロキシ（ｐｒｏｘｙ）、ゲートウェイ（ｇａｔｅｗａｙ）、ファイアウォール、ロードバランサ、帯域制御装置、セキュリティ監視制御装置、基地局、アクセスポイント等が考えられる。また、ＩＰｖ４−ＩＰｖ６変換装置２０（２０−ｊ、ｊ＝１〜ｍ）は、上記の計算機等でも良い。
【００５４】
上記のようなＩＰｖ４端末１０（１０−ｉ、ｉ＝１〜ｎ）及びＩＰｖ４−ＩＰｖ６変換装置２０（２０−ｊ、ｊ＝１〜ｍ）は、プログラムに基づいて駆動し所定の処理を実行するプロセッサと、当該プログラムや各種データを記憶するメモリと、ネットワークとの通信に用いられるインターフェースによって実現される。
【００５５】
上記のプロセッサの例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ、或いは、専用の機能を有する半導体集積回路（ＩＣ：Ｉｎｔｅｇｒａｔｅｄ  Ｃｉｒｃｕｉｔ）等が考えられる。
【００５６】
上記のメモリの例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。また、レジスタ（ｒｅｇｉｓｔｅｒ）でも良い。或いは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。
【００５７】
なお、上記のプロセッサ及び上記のメモリは、一体化していても良い。例えば、近年では、マイコン等の１チップ化が進んでいる。したがって、電子機器等に搭載される１チップマイコンが、プロセッサ及びメモリを備えている事例が考えられる。
【００５８】
上記のインターフェースの例として、ネットワーク通信に対応した基板（マザーボード、Ｉ／Ｏボード）やチップ等の半導体集積回路、ＮＩＣ（Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。
【００５９】
また、ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）、シリアル通信回線、データバス等が考えられる。
【００６０】
なお、ＩＰｖ４−ＩＰｖ６変換装置２０（２０−ｊ、ｊ＝１〜ｍ）内の各部（内部構成）は、モジュール（ｍｏｄｕｌｅ）、コンポーネント（ｃｏｍｐｏｎｅｎｔ）、或いは専用デバイス、又はこれらの起動（呼出）プログラムでも良い。
【００６１】
但し、実際には、これらの例に限定されない。
【００６２】
［障害解析処理］
図３に、本発明に係る障害解析システムの動作（障害解析処理）を示す。
【００６３】
（１）ステップＳ１０１
宛先指定部２１は、宛先の指定を行う。例えば、宛先指定部２１は、ＩＰアドレス、若しくはドメイン名でＩＰｖ６用コマンド（ＩＰｖ６トレースルートコマンド、ＰＩＮＧ６コマンド等）の宛先を指定する。
【００６４】
（２）ステップＳ１０２
宛先判定部２２は、宛先の判定を行い、ドメイン名で宛先が指定されたか否かを判定する。すなわち、宛先判定部２２は、宛先がドメイン名で指定されたかＩＰアドレスで指定されたかを判定する。
【００６５】
ここで、宛先判定部２２は、ドメイン名で宛先が指定された場合（ステップＳ１０２でＹｅｓ）、ＦＱＤＮ解決部２３を起動／実行する。すなわち、宛先判定部２２の処理（ステップＳ１０２）からＦＱＤＮ解決部２３の処理（ステップＳ１０４）へ移行する。
【００６６】
また、宛先判定部２２は、ドメイン名で宛先が指定されていない場合（ステップＳ１０２でＮｏ）、ＩＰアドレスで宛先が指定されたと判断し、ＩＰアドレスの種別を判定する処理（ステップＳ１０３）へ移行する。
【００６７】
（３）ステップＳ１０３
宛先判定部２２は、ＩＰｖ４アドレスで宛先が指定されたか否かを判定する。ここでは、宛先判定部２２は、宛先がＩＰｖ４アドレスで指定されたかＩＰｖ６アドレスで指定されたかを判定する。
【００６８】
ここで、宛先判定部２２は、ＩＰｖ４アドレスで宛先が指定された場合（ステップＳ１０３でＹｅｓ）、アドレス変換部２５を起動／実行する。すなわち、宛先判定部２２の処理（ステップＳ１０３）からアドレス変換部２５の処理（ステップＳ１０７）へ移行する。
【００６９】
また、宛先判定部２２は、ＩＰｖ６アドレスで宛先が指定された場合（ステップＳ１０３でＮｏ）、コマンド実行部２６を起動／実行する。すなわち、宛先判定部２２の処理（ステップＳ１０３）からコマンド実行部２６の処理（ステップＳ１０８）へ移行する。
【００７０】
（４）ステップＳ１０４
ＦＱＤＮ解決部２３は、宛先ドメインの名前解決の要求を行う。例えば、ＦＱＤＮ解決部２３は、宛先ドメインについて、ＩＰｖ４アドレスとＩＰｖ６アドレスの両方の名前解決要求を出す。
【００７１】
（５）ステップＳ１０５
ＦＱＤＮ解決部２３は、名前解決の結果を判定する。例えば、ＦＱＤＮ解決部２３は、名前解決に成功したか、失敗したかを判定する。
【００７２】
ここで、ＦＱＤＮ解決部２３は、名前解決に失敗した場合（ステップＳ１０５でＮｏ）、処理を終了する。
【００７３】
また、ＦＱＤＮ解決部２３は、名前解決に成功した場合（ステップＳ１０５でＹｅｓ）、優先順位決定部２４を起動／実行する。すなわち、ＦＱＤＮ解決部２３の処理（ステップＳ１０５）から優先順位決定部２４の処理（ステップＳ１０６）へ移行する。
【００７４】
（６）ステップＳ１０６
優先順位決定部２４は、ＦＱＤＮ解決部２３で得られた宛先として、ＩＰｖ４アドレスとＩＰｖ６アドレスのどちらの宛先を優先するか、優先順位を決定する。例えば、優先順位決定部２４は、名前解決要求の応答としてＩＰｖ４アドレスとＩＰｖ６アドレスの両方を受け取った場合、ＩＰｖ４アドレスの宛先を優先するか否か決定する。
【００７５】
ここで、優先順位決定部２４は、ＩＰｖ４アドレスを優先する場合（ステップＳ１０６でＹｅｓ）、アドレス変換部２５を起動／実行する。すなわち、優先順位決定部２４の処理（ステップＳ１０６）からアドレス変換部２５の処理（ステップＳ１０７）へ移行する。
【００７６】
また、優先順位決定部２４は、ＩＰｖ６アドレスを優先する場合（ステップＳ１０６でＮｏ）、コマンド実行部２６を起動／実行する。すなわち、優先順位決定部２４の処理（ステップＳ１０６）からコマンド実行部２６の処理（ステップＳ１０８）へ移行する。
【００７７】
（７）ステップＳ１０７
アドレス変換部２５は、ＩＰｖ４−ＩＰｖ６変換装置２０内に設定された変換用プレフィックスを基に、宛先ＩＰｖ４アドレスをＩＰｖ６アドレスへ変換する。
【００７８】
（８）ステップＳ１０８
コマンド実行部２６は、宛先へのＩＰｖ６用コマンド（ＩＰｖ６トレースルートコマンド又はＰＩＮＧ６コマンド等）を実行する。
【００７９】
（９）ステップＳ１０９
応答アドレス判別部２７は、ＩＰｖ６用コマンド（ＩＰｖ６トレースルートコマンド、ＰＩＮＧ６コマンド等）の宛先及び途中の経路から、ＩＰｖ６用コマンドに対する応答を受信し、ＩＰｖ４網からの応答であるか否か判定する。例えば、応答アドレス判別部２７は、応答アドレス（応答の送信元アドレス）を参照し、先頭からプレフィックス長分のアドレスが変換用プレフィックスと一致するか判別する。なお、応答アドレスは、ＩＰｖ６用コマンドに対する応答であるため、ＩＰｖ６アドレスで表示される。
【００８０】
ここで、応答アドレス判別部２７は、先頭からプレフィックス長分のアドレスが変換用プレフィックスと一致した場合、ＩＰｖ４網からの応答と判断し（ステップＳ１０９でＹｅｓ）、ＩＰｖ６→ＩＰｖ４変換部２５２を起動／実行する。すなわち、応答アドレス判別部の処理（ステップＳ１０９）からアドレス変換部２５の処理（ステップＳ１１０）へ移行する。
【００８１】
また、応答アドレス判別部２７は、先頭からプレフィックス長分のアドレスが変換用プレフィックスと一致しない場合、ＩＰｖ６網からの応答と判断し（ステップＳ１０９でＮｏ）、結果表示部２８を起動／実行する。すなわち、応答アドレス判別部の処理（ステップＳ１０９）から結果表示部２８の処理（ステップＳ１１１）へ移行する。
【００８２】
（１０）ステップＳ１１０
アドレス変換部２５は、ＩＰｖ４−ＩＰｖ６変換装置２０内に設定された変換用プレフィックスを基に、応答アドレスをＩＰｖ６アドレスからＩＰｖ４アドレスへ変換する。
【００８３】
（１１）ステップＳ１１１
結果表示部２８は、コマンド実行結果として、ＩＰｖ４網からの応答をＩＰｖ４アドレスで表示し、ＩＰｖ６網からの応答をＰｖ６アドレスで表示する。
【００８４】
本発明では、ＩＰｖ４−ＩＰｖ６変換装置２０−１は、ＩＰｖ４−ＩＰｖ６変換装置２０−２及びＩＰｖ４端末１０−２にＩＰｖ６用コマンド（ＩＰｖ６トレースルートコマンド、ＰＩＮＧ６コマンド等）を送信し、前記ＩＰｖ６用コマンドに対する応答を受信する。この際、ＩＰｖ４−ＩＰｖ６変換装置２０−１は、ＩＰｖ４−ＩＰｖ６変換装置２０−２からの応答アドレスであるＩＰｖ６アドレスを、そのまま表示する。また、ＩＰｖ４−ＩＰｖ６変換装置２０−１は、ＩＰｖ４端末１０−２からの応答アドレスであるＩＰｖ６アドレスを、ＩＰｖ４アドレスに変換して表示する。これにより、ＩＰｖ４−ＩＰｖ６変換装置２０−１は、ＩＰｖ４網とＩＰｖ６網の境界を明確にする。
【００８５】
［従来の実施例と本発明の実施例の比較（ＩＰｖ６トレースルートコマンド）］
以下に、ＩＰｖ６トレースルートコマンド（ここでは「ｔｒａｃｅｒｏｕｔｅ６」と表記）について、従来の実施例と本発明の実施例を比較して説明する。
【００８６】
［従来のＩＰｖ６トレースルートコマンドの実行例］
図４に、従来のＩＰｖ６トレースルートコマンドの実行例を示す。
【００８７】
図４では、ＩＰｖ４−ＩＰｖ６変換装置２０が、ＬＡＮ側ＩＰｖ４網１００からＷＡＮ側ＩＰｖ６網１５０を介してＷＡＮ側ＩＰｖ４網２００へＩＰｖ６トレースルートコマンドを実行しているが、実行結果は、全てＩＰｖ６アドレスでの表示となっている。
【００８８】
図４では、実際には、ＩＰｖ６トレースルートコマンド実行時のホップ数が「１０」（ｈｏｐ＝１０）の応答（２４００：３０００：１０００：６４６４：：ｄ２ａｂ：ｅ１ａ０）からＩＰｖ４網からの応答を受けているが、実行結果は、ＩＰｖ６アドレスのみの表示となっている。
【００８９】
そのため、ＩＰｖ６網からの応答かＩＰｖ４網からの応答かを判断するのが困難である。
【００９０】
［本発明によるＩＰｖ６トレースルートコマンドの実行例］
図５に、本発明によるＩＰｖ６トレースルートコマンドの実行例を示す。
【００９１】
図５では、図４と同じＩＰｖ４−ＩＰｖ６変換装置２０が、ＬＡＮ側ＩＰｖ４網１００からＷＡＮ側ＩＰｖ６網１５０を介してＷＡＮ側ＩＰｖ４網２００へＩＰｖ６トレースルートコマンドを実行しているが、実行結果は、途中からＩＰｖ４アドレスでの表示となっている。
【００９２】
図５では、ＩＰｖ６トレースルートコマンド実行時のホップ数が「１０」（ｈｏｐ＝１０）の応答（２１０．１７１．２２５．１６０）からＩＰｖ４アドレスで表示されており、ＩＰｖ４網とＩＰｖ６網の境界が明確化されている。
【００９３】
図４、図５共に、変換用プレフィックスとして、「２４００：３０００：１０００：６４６４：：／６４」を使用した場合の例だが、図５では、アドレスの先頭からプレフィックス長（この場合は、６４ビット）分を見て、変換用プレフィックスと一致した場合に、ＩＰｖ６アドレスからＩＰｖ４アドレスへの変換を行っている。
【００９４】
例えば、図４のホップ数が「１０」（ｈｏｐ＝１０）の応答（２４００：３０００：１０００：６４６４：：ｄ２ａｂ：ｅ１ａ０）は、図５では、変換用プレフィックス（２４００：３０００：１０００：６４６４：：／６４）を取り除き、下位４バイトを１０進数で表示したアドレス（２１０．１７１．２２５．１６０）となっている。
【００９５】
［従来の実施例と本発明の実施例の比較（ＰＩＮＧ６コマンド）］
以下に、ＰＩＮＧ６コマンド（ここでは「ＰＩＮＧ６」と表記）について、従来の実施例と本発明の実施例を比較して説明する。
【００９６】
［従来のＰＩＮＧ６コマンドの実行例］
図６では、従来のＰＩＮＧ６コマンドの実行例を示している。
【００９７】
図６では、ＩＰｖ４−ＩＰｖ６変換装置２０が、ＬＡＮ側ＩＰｖ４網１００からＷＡＮ側ＩＰｖ６網１５０を介してＷＡＮ側ＩＰｖ４網２００へＰＩＮＧ６コマンドを実行しているが、実行結果は、全てＩＰｖ６アドレスでの表示となっている。
【００９８】
図６では、実際には、ＰＩＮＧ６コマンド実行時の応答は、ＩＰｖ４網からの応答を受けているのだが、実行結果は、ＩＰｖ６アドレスのみの表示となっている。
【００９９】
そのため、ＩＰｖ６網からの応答かＩＰｖ４網からの応答かを判断するのが困難である。
【０１００】
［本発明によるＰＩＮＧ６コマンドの実行例］
図７に、本発明によるＰＩＮＧ６コマンドの実行例を示す。
【０１０１】
図７では、図６と同じく、ＩＰｖ４−ＩＰｖ６変換装置２０が、ＬＡＮ側ＩＰｖ４網１００からＷＡＮ側ＩＰｖ６網１５０を介してＷＡＮ側ＩＰｖ４網２００へＰＩＮＧ６コマンドを実行している。
【０１０２】
図７では、ＰＩＮＧ６コマンド実行時の応答がＩＰｖ４アドレスで表示されており、ＩＰｖ４網からの応答であることが明確化されている。
【０１０３】
［本発明の効果］
本発明を用いることで、ＩＰｖ４−ＩＰｖ６変換装置が、ＩＰｖ４網からＩＰｖ６網を介したＩＰｖ４端末へのＩＰｖ６用コマンド（ＩＰｖ６トレースルートコマンド、ＰＩＮＧ６コマンド等）実行の際、ネットワーク上のＩＰｖ６網とＩＰｖ４網の境界を表示上で明確化し、ＩＰｖ４、ＩＰｖ６混在環境における障害解析を容易にすることができる。
【０１０４】
［補足］
なお、上記の説明において、「ＩＰｖ４」と「ＩＰｖ６」を入れ替えても良い。この場合、「ＩＰｖ４」を「ＩＰｖ６」と読み替え、「ＩＰｖ６」を「ＩＰｖ４」と読み替える。
【０１０５】
＜まとめ＞
以上のように、本発明は、ＩＰｖ４−ＩＰｖ６アドレス変換装置を用いた通信において、ＩＰｖ４−ＩＰｖ６アドレス変換装置からＩＰｖ６網を介してＩＰｖ４端末へトレースルートコマンド（又はＰＩＮＧ６コマンド）を実行した際、表示上でＩＰｖ４網とＩＰｖ６網の境界を明確化し、ＩＰｖ４、ＩＰｖ６混在環境における障害解析を容易にした点を特徴としている。
【０１０６】
本発明では、ＩＰｖ４−ＩＰｖ６変換装置は、トレースルートコマンド（又はＰＩＮＧ６コマンド）実行時、宛先ＩＰｖ４端末があるＷＡＮ側ＩＰｖ４網２００からの応答を、変換用プレフィックスが付与されたＩＰｖ６アドレスに変換する。
【０１０７】
また、ＩＰｖ４−ＩＰｖ６変換装置は、この変換用プレフィックスを基に変換されたＩＰｖ６アドレスを再変換したＩＰｖ４アドレスを、トレースルートコマンド（又はＰＩＮＧ６コマンド）の結果として表示する。
【０１０８】
これにより、ＩＰｖ６網からの応答の表示はＩＰｖ６アドレスとなり、ＩＰｖ４網からの応答の表示はＩＰｖ４アドレスとなるので、ＩＰｖ６、ＩＰｖ４混在環境でトレースルートコマンド（又はＰＩＮＧ６コマンド）を実行した際、ＩＰｖ６網とＩＰｖ４網の境界が明確化された表示となり、障害発生時の解析が容易となる。
【０１０９】
本発明では、ＩＰｖ４−ＩＰｖ６変換装置が、ＩＰｖ４網からＩＰｖ６網を介してＩＰｖ４端末宛へトレースルートコマンド（又はＰＩＮＧ６コマンド）を実行した際、ネットワーク上のＩＰｖ６網とＩＰｖ４網の境界を表示上から明確にした。
【０１１０】
本発明では、ＩＰｖ４−ＩＰｖ６変換装置が、ＩＰｖ４網からＩＰｖ６網を介してＩＰｖ４端末宛へＰＩＮＧを行う際、ＩＰｖ４端末からの応答であることを表示上から明確にした。
【０１１１】
本発明では、アプリケーションの種類に関係なく、ＩＰｖ４、ＩＰｖ６混在環境で通信を行う際にＩＰｖ４網、ＩＰｖ６網からの応答の表示を明確にした。
【０１１２】
本発明では、ＦＱＤＮ名前解決をする際、ＩＰｖ４アドレスとＩＰｖ６アドレスのどちらの解決結果を優先するか選択できる。
【０１１３】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【０１１４】
１０…  ＩＰｖ４端末
２０…  ＩＰｖ４−ＩＰｖ６変換装置
２１…  宛先指定部
２２…  宛先判定部
２３…  ＦＱＤＮ（Ｆｕｌｌｙ  Ｑｕａｌｉｆｉｅｄ  Ｄｏｍａｉｎ  Ｎａｍｅ：完全修飾ドメイン名）解決部
２４…  優先順位決定部
２５…  アドレス変換部
２５１…  ＩＰｖ４→ＩＰｖ６変換部
２５２…  ＩＰｖ６→ＩＰｖ４変換部
２６…  コマンド実行部
２６１…  ＩＰｖ６トレースルートコマンド実行部
２６２…  ＰＩＮＧ６コマンド実行部
２７…  応答アドレス判定部
２８…  結果表示部
１００…  ＬＡＮ側ＩＰｖ４網
１５０…  ＷＡＮ側ＩＰｖ６網
２００…  ＷＡＮ側ＩＰｖ４網
【図１】
0005511017.tif 000002
【図２】
0005511017.tif 000003
【図３】
0005511017.tif 000004
【図４】
0005511017.tif 000005
【図５】
0005511017.tif 000006
【図６】
0005511017.tif 000007
【図７】
0005511017.tif 000008